(57)【特許請求の範囲】
【請求項１】
コンピュータソフトウェアによる情報提示の方法であって、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定することと、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得することと、
前記ユーザーの識別又は前記スマートデバイスの識別が含まれている、提示情報を取得する要請を送信して、前記生活環境モードに対応する提示情報を取得することと、
前記提示情報を再生することと、
を含み、
前記コンピュータソフトウェアは、前記スマートデバイスにインストールされ、
前記提示情報は、前記ユーザーの識別又は前記スマートデバイスの識別に応じる
ことを特徴とする情報提示の方法。
【請求項２】
前記生活環境モードはユーザー定義のものであり、就業日モード、休暇日モード及び健康モードを含むことを特徴とする請求項１に記載の方法。
【請求項３】
前記生活環境モードに対応する提示情報を取得することは、
前記生活環境モードが就業日モードである場合、少なくとも天気情報、ニュース情報又は道路交通情報のうちの1種類または複数の種類を取得することと、
前記生活環境モードは休暇日モードである場合、少なくとも天気情報、ショッピング情報、飲食情報、ニュース情報、道路交通情報、音楽及びビデオのうちの1種類または複数の種類を取得することと、
前記生活環境モードが健康モードである場合、ユーザーの過去健康データに基づいて、関連する健康情報を検索することと、
を含むことを特徴とする請求項２に記載の方法。
【請求項４】
前記インテリジェントウェアラブルデバイスとの接続状態が接続構築状態である場合、自身の状態がスタンバイ状態であれば、スタンバイ状態を動作状態に変換させること、又は
前記インテリジェントウェアラブルデバイスとの接続状態が未接続状態である場合、自身の状態が動作状態であれば、動作状態をスタンバイ状態に変換させるか電源を切ること、
をさらに含むことを特徴とする請求項１に記載の方法。
【請求項５】
情報提示の装置であって、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定する確定モジュールと、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得する第１取得モジュールと、
前記ユーザーの識別又は前記スマートデバイスの識別が含まれている、提示情報を取得する要請を送信して、前記生活環境モードに対応する提示情報を取得する第２取得モジュールと、
前記提示情報を再生する再生モジュールと、
を含み、
前記情報提示の装置は、前記スマートデバイスに装着され、
前記提示情報は、前記ユーザーの識別又は前記スマートデバイスの識別に応じる
ことを特徴とする情報提示の装置。
【請求項６】
前記生活環境モードはユーザーにより定義されたものであり、就業日モード、休暇日モード及び健康モードを含むことを特徴とする請求項５に記載の装置。
【請求項７】
前記第２取得モジュールは、
前記生活環境モードが就業日モードである場合、少なくとも天気情報、ニュース情報又は道路交通情報のうちの1種類または複数の種類を取得する第３取得ユニットと、
前記生活環境モードが休暇日モードである場合、少なくとも天気情報、ショッピング情報、飲食情報、ニュース情報、道路交通情報、音楽及びビデオのうちの1種類または複数の種類を取得する第４取得ユニットと、
前記生活環境モードが健康モードである場合、ユーザーの過去健康データに基づいて、関連する健康情報を検索する第５取得ユニットと、
を含むことを特徴とする請求項６に記載の装置。
【請求項８】
前記装置は、さらに、
前記インテリジェントウェアラブルデバイスとの接続状態が接続構築状態である場合、自身の状態がスタンバイ状態であれば、スタンバイ状態を動作状態に変換させる第１変換モジュールと、
前記インテリジェントウェアラブルデバイスとの接続状態が未接続状態である場合、自身の状態が動作状態であれば、動作状態をスタンバイ状態に変換させるか電源を切る第２変換モジュールと、
を含むことを特徴とする請求項５に記載の装置。
【請求項９】
情報提示の装置であって、
プロセッサと、プロセッサの実行可能コマンドを記憶するためのメモリと、
を含み、
前記プロセッサは、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定し、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得し、
前記ユーザーの識別又は前記スマートデバイスの識別が含まれている、提示情報を取得する要請を送信して、前記生活環境モードに対応する提示情報を取得し、前記提示情報を再生するように構成されており、
前記情報提示の装置は、前記スマートデバイスに装着され、
前記提示情報は、前記ユーザーの識別又は前記スマートデバイスの識別に応じる
ことを特徴とする情報提示の装置。
【発明の詳細な説明】
【技術分野】
【０００１】
関連出願の相互参照
本願は、２０１５年４月２９日付けで出願された出願番号が第２０１５１０２１３４７２．Ｘ号である中国特許を基に提出したものであり、当該中国特許出願の優先権を主張し、当該中国特許出願の内容は全て本開示に採用される。
【０００２】
本開示は、スマートデバイス技術分野に関し、特に情報提示の方法及び装置に関する。
【背景技術】
【０００３】
インターネットの発展に伴い、ユーザーは端末を通じてネットワークにアクセスすることにより、現在必要な様々な情報を検索でき、ユーザーの生活や仕事に大きな便宜を与えている。
【０００４】
現在、情報を検索する方法は、ユーザーがブラウザを通じて所定のウェブサイト又は検索エンジンにアクセスし、ウェブページから必要な情報を検索する方法1と、ユーザーが予め端末から情報を検索するための様々なアプリケーションをダウンロードし、ダウンロードした後にアプリケーションを起動して必要な情報を検索する方法と、に分けられる。
【発明の概要】
【課題を解決するための手段】
【０００５】
関連技術の課題を解決するために、本開示の実施例では、情報提示の方法及び装置を提供する。前記の技術的解決手段を以下の通りである。
【０００６】
本開示の実施例における第１の態様によれば、
コンピュータソフトウェアによる情報提示の方法であって、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定することと、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得することと、
前記ユーザーの識別又は前記スマートデバイスの識別が含まれている、提示情報を取得する要請を送信して、前記生活環境モードに対応する提示情報を取得することと、
前記提示情報を再生することと、
を含み、
前記コンピュータソフトウェアは、前記スマートデバイスにインストールされ、
前記提示情報は、前記ユーザーの識別又は前記スマートデバイスの識別に応じる
【０００９】
オプションとして、前記生活環境モードは、ユーザーにより定義されたものであり、就業日モード、休暇日モード及び健康モードを含む。
【００１０】
オプションとして、前記生活環境モードに対応する提示情報を取得することは、
前記生活環境モードが就業日モードである場合、少なくとも天気情報、ニュース情報又は道路交通情報のうちの１種類又は複数の種類を取得することと、
前記生活環境モードが休暇日モードである場合、少なくとも天気情報、ショッピング情報、飲食情報、ニュース情報、道路交通情報、音楽及びビデオのうちの1種類または複数の種類を取得することと、
前記生活環境モードが健康モードである場合、ユーザーの過去健康データに基づいて、関連する健康情報を検索することと、を含む。
【００１１】
オプションとして、前記方法は、
前記インテリジェントウェアラブルデバイスとの接続状態が接続構築状態である場合、自身の状態がスタンバイ状態であれば、スタンバイ状態を動作状態に変換させること、又は、
前記インテリジェントウェアラブルデバイスとの接続状態が未接続状態である場合、自身の状態が動作状態であれば、動作状態をスタンバイ状態に変換させるか電源を切ること、をさらに含む。
【００１２】
本開示の実施例における第２の態様によれば、
情報提示の装置であって、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定する確定モジュールと、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得する第１取得モジュールと、
前記ユーザーの識別又は前記スマートデバイスの識別が含まれている、提示情報を取得する要請を送信して、前記生活環境モードに対応する提示情報を取得する第２取得モジュールと、
前記提示情報を再生する再生モジュールと、
を含み、
前記情報提示の装置は、前記スマートデバイスに装着され、
前記提示情報は、前記ユーザーの識別又は前記スマートデバイスの識別に応じる
情報提示の装置を提供する。
【００１５】
オプションとして、前記生活環境モードは、ユーザーにより定義されたものであり、就業日モード、休暇日モード及び健康モードを含む。
【００１６】
オプションとして、前記第２取得モジュールは、
前記生活環境モードが就業日モードである場合、少なくとも天気情報、ニュース情報又は道路交通情報のうちの1種類または複数の種類を取得する第３取得ユニットと、
前記生活環境モードが休暇日モードである場合、少なくとも天気情報、ショッピング情報、飲食情報、ニュース情報、道路交通情報、音楽及びビデオのうちの1種類または複数の種類を取得する第４取得ユニットと、
前記生活環境モードが健康モードである場合、ユーザーの過去健康データに基づいて、関連する健康情報を検索する第５取得ユニットと、を含む。
【００１７】
オプションとして、前記装置は、
前記インテリジェントウェアラブルデバイスとの接続状態が接続構築状態である場合、自身の状態がスタンバイ状態であれば、スタンバイ状態を動作状態に変換させる第１変換モジュールと、
前記インテリジェントウェアラブルデバイスとの接続状態が未接続状態である場合、自身の状態が動作状態であれば、動作状態をスタンバイ状態に変換させるか電源を切る第２変換モジュールと、をさらに含む。
【００１８】
本開示の実施例における第３の態様によれば、
プロセッサと、プロセッサの実行可能コマンドを記憶するためのメモリと、を含むスマートテレビ又は家庭用音響設備であるスマートデバイスに装着される情報提示の装置を提供し、
前記プロセッサは、
スマートテレビ又は家庭用音響設備であるスマートデバイスとインテリジェントウェアラブルデバイスとの通信接続が構築されたか否かを検出し、前記インテリジェントウェアラブルデバイスとの通信接続が構築された場合、所定のイベントがトリガーされたか否かを確定し、
前記所定のイベントがトリガーされた場合、接続されたインテリジェントウェアラブルデバイスから送信されたトリガー情報を取得し、トリガー情報と生活環境モードとの対応関係を検索して、ユーザーの現在の生活環境モードを取得し、
前記ユーザーの識別又は前記スマートデバイスの識別が含まれている、提示情報を取得する要請を送信して、前記生活環境モードに対応する提示情報を取得し、
前記提示情報を再生するように構成されており、
前記提示情報は、前記ユーザーの識別又は前記スマートデバイスの識別に応じるものである。
【発明の効果】
【００１９】
本開示の実施例により提供される技術的解決手段は以下のような有益な効果を含み得る。
【００２０】
現在の生活環境モードを取得し、位置情報に基づいて生活環境モードに対応する提示情報を取得することにより、最終的に提示情報をスマートデバイスのディスプレイに表示させる。生活環境モードに基づいて対応する情報を自動的に取得し且つユーザーに表示させることを実現するため、ユーザーが自分で情報を検索する必要がなく、ユーザーの情報を取得する効率を向上させる。上記の一般的な説明と後述する詳細な説明は例示的及び解釈的なものに過ぎず、本開示を限定するものではないことは、理解されるべきである。
【図面の簡単な説明】
【００２１】
ここの図面は本明細書の一部であって、本開示の実施例を例示するものであり、明細書と共に本開示の原理を解釈するのに用いられる。
【図１】図１は、例示的な一実施例により示された情報提示の方法のフローチャートである。
【図２】図２は、例示的な一実施例により示された情報提示の方法のフローチャートである。
【図３】図３は、例示的な一実施例により示された情報提示の方法のフローチャートである。
【図４】図４は、例示的な一実施例により示された情報提示の方法のフローチャートである。
【図５】図５は、例示的な一実施例により示された情報提示の装置のブロック図である。
【図６】図６は、例示的な一実施例により示された情報提示の装置における確定モジュールのブロック図である。
【図７】図７は、例示的な一実施例により示された情報提示の装置における第１取得モジュールのブロック図である。
【図８】図８は、例示的な一実施例により示された情報提示の装置における第２取得モジュールのブロック図である。
【図９】図９は、例示的な一実施例により示された情報提示の装置のブロック図（スマートデバイスの一般的な構成）である。
【発明を実施するための形態】
【００２２】
本開示の目的、技術的解決手段及び利点をさらに明瞭にするために、以下、図面を参照して本開示の実施形態についてさらに詳しく説明する。
【００２３】
本開示の例示的な一実施例では情報提の示方法を提供し、本開示の実施例はスマートテレビ又は家庭用音響設備に用いられる。図１に示すように、当該方法のフローは、
所定のイベントがトリガーされたか否かを確定するステップ１０１と、
前記所定のイベントがトリガーされた場合、ユーザーの現在の生活環境モードを取得するステップ１０２と、
前記生活環境モードに対応する提示情報を取得するステップ１０３と、
前記提示情報を再生するステップ１０４と、を含む。
【００２４】
本開示の実施例では、現在の生活環境モードを取得することにより、生活環境モードに対応する提示情報を取得し、最終的に提示情報を表示させる。生活環境モードに基づいて対応する情報を自動的に取得し且つユーザーに表示させることを実現するため、ユーザーが自分で情報を検索する必要がなく、ユーザーの情報を取得する効率を向上させる。
【００２５】
本開示の他の例示的な実施例では、スマートテレビ又は家庭用音響設備に用いられる情報提示の方法を提供し、図２が参照される。
【００２６】
本開示の実施例において、スマートデバイスが、自身で検出した所定のイベントにより情報提示を行うことは、説明すべきである。
【００２７】
ステップ２０１において、所定のイベントがトリガーされたか否かを確定する。
【００２８】
本開示の実施例において、下記の２つの方法により所定のイベントがトリガーされたことを確定でき、対応するステップ２０１は、以下の２つのステップにより実現できる。
【００２９】
方法１：
ステップ２０１１において、システム時間が設定時間になったか否かを検出し、システム時間が設定時間になった場合、所定のイベントがトリガーされたと確定する。
【００３０】
スマートデバイスに所定の生活環境モードに対応する設定時間が記憶されているため、システム時間が所定の生活環境モードに対応する設定時間になったことを検出した場合、所定のイベントがトリガーされる。
【００３１】
ここで、設定時間には、日付状態と時間が含まれても良いし、日付状態には就業日状態と休暇日状態が含まれても良い。
【００３２】
スマートデバイスは、設定時間になったことを検出した場合、所定のイベントを直接的にトリガーでき、設定時間になったことを検出した場合、システムカレンダーを検索して当日の日付状態を確認して、設定時間における日付状態にマッチングでき、マッチングする場合には、所定のイベントをトリガーし、マッチングしない場合には、何も操作しない。
【００３３】
方法２：
ステップ２０１２において、インテリジェントウェアラブルデバイスとの通信接続が構築されたか否かを検出し、前記インテリジェントウェアラブルデバイスとの通信接続が構築された場合、所定のイベントがトリガーされたと確定する。
【００３４】
このような方法において、ユーザーがインテリジェントウェアラブルデバイスを着用して帰宅したとき、スマートデバイスとインテリジェントウェアラブルデバイスとの間は事前設定の通信モードにより通信接続を構築し、事前設定の通信モードはブルートゥース(登録商標)接続またはＷｉ‐Ｆｉ（Ｗｉｒｅｌｅｓｓ‐Ｆｉｄｅｌｉｔｙ、ワイヤレスフィディリティー）（登録商標）接続であってもよい。
【００３５】
ここで、スマートデバイスとインテリジェントウェアラブルデバイスは、事前設定の通信モードによりペアリングされ、ペアリングに成功した後、双方の関連関係を構築するために、相手の識別を互いに記憶する。
【００３６】
ステップ２０２において、前記所定のイベントがトリガーされた場合、現在の時間情報を取得し、時間情報と生活環境モードとの対応関係を検索し、ユーザーの現在の生活環境モードを取得する。
【００３７】
ユーザーの生活状態は就業日、休暇日に応じて異なるため、それに応じて、取得される提示情報も異なる。従って、先ず現在の日付に対応する日付状態を確定し、次に生活環境モードを確定しなければならない。例えば、日付状態が就業日である場合、当日の天気情報、ニュース情報及び道路交通情報（例えば、自宅と勤務先との間の道路交通）を提示情報として取得しなければならない。日付状態が休暇日である場合は、道路交通情報を取得する必要がなく、天気情報、ニュース情報、ショッピング情報及び飲食情報などの内容を提示情報として取得できる。スマートデバイスは、ネットワークを経由してクラウドサーバーから現在の年度における毎日の日付状態を予め取得し、本ステップを実行する際にカレンダーシステムから当日の日付に対応する日付状態を取得してもよく、本ステップを実行する際にネットワークを経由してクラウドサーバーから当日の日付に対応する日付状態を取得してもよい。
【００３８】
そのため、時間情報は、日付状態と時間を含んでも良く、日付状態は就業日状態と休暇日状態を含んでも良い。それに応じて、生活環境モードはユーザーにより定義されたものであり、就業日の生活モード、休暇日の生活モードを含む。
【００３９】
さらに、ユーザーの生活状態は一日の異なる時間帯でも異なる。例えば、日付状態が就業日であり、時間が朝８時である場合、当日の天気情報、ニュース情報及び道路交通情報（例えば、自宅と勤務先との間の道路交通）を提示情報として取得しなければならず、日付状態が就業日であり、時間が午後６時である場合は、ニュース情報、飲食情報を提示情報として取得しなければならない。
【００４０】
そのため、就業日の生活モード又は休暇日の生活モードは、さらに以下の複数のモードに詳しく分けられる。
【００４１】
就業日、７：３０‐８：３０、就業日の起床モード、
就業日、１７：３０‐１９：３０、就業日の夕食モード、
就業日、１９：３０‐２４：００、就業日の休憩モード、
休暇日、８：００‐９：００、休暇日の起床モード、
休暇日、９：００‐１２：００、休暇日のレジャーモード、
休暇日、１２：００‐１３：００、休暇日の昼食モード、
休暇日、１３：００‐１７：００、休暇日のレジャーモード、
休暇日、１７：００‐１９：００、休暇日の夕食モード、
休暇日、１９：００‐２４：００、休暇日の休憩モード。
【００４２】
ステップ２０３において、前記生活環境モードに対応する提示情報を取得する。
【００４３】
オプションとして、ユーザーは様々な位置で生活しているため、ユーザーの位置によって位置に関連する提示情報を確定しなければならない。従って、スマートデバイスにより現在の位置情報を予め取得しなければならない。
【００４４】
ここで、位置情報は、スマートデバイスにおける測位モジュールにより測位して取得でき、スマートデバイスはクラウドサーバーへ提示情報を取得する要請を送信し、該要請は位置情報及び生活環境モードに対応する識別を含む。オプションとして、提示情報を取得する要請はユーザー識別又はスマートデバイスの識別をさらに含み得る。オプションとして、スマートデバイスにより位置情報を取得する過程は、スマートデバイスが初期化される時に実行できる。位置情報をより正確に確定するために、スマートデバイスは本ステップを実行する時に位置情報を取得する操作を実行できる。
【００４５】
また、スマートデバイスを通じてクラウドサーバーへ提示情報を取得する要請を送信でき、提示情報を取得する要請はスマートデバイスのウェブアドレスを含み得る。オプションとして、提示情報を取得する要請はユーザー識別又はスマートデバイスの識別をさらに含み得る。クラウドサーバーは、まず該要請に含まれるウェブアドレスに基づいて大体の位置情報を検索し、さらに大体の位置情報に基づいて提示情報を取得する。
【００４６】
ここで、本開示の実施例における提示情報の種類は、天気情報、ニュース情報、道路交通情報、ショッピング情報、飲食情報、音楽及びビデオを含み得るが、これらに限定されるものではない。
【００４７】
それに応じて、本ステップにおける生活環境モードに対応する提示情報を取得する内容は、
前記生活環境モードが就業日モードである場合、少なくとも天気情報、ニュース情報又は道路交通情報のうちの1種類または複数の種類を取得することであり、
前記生活環境モードが休暇日モードである場合、少なくとも天気情報、ショッピング情報、飲食情報、ニュース情報、道路交通情報、音楽及びビデオのうちの1種類または複数の種類を取得することであっても良い。
【００４８】
取得方法は、スマートデバイスに各生活環境モードに対応する取得しようとする提示情報の種類を予め設定し、提示情報を取得する要請に提示情報の種類を含ませてもよく、さらにクラウドサーバーに生活環境モードと提示情報の種類との対応関係を予め記憶し、クラウドサーバーは、提示情報を取得する要請に含まれる生活環境モードの識別に基づいて、取得しようとする提示情報の種類を確定し、さらに提示情報を取得する過程を行っても良い。オプションとして、スマートデバイスは、さらに一部の提示情報をスマートデバイスに記憶でき、例えば、生活環境モードが就業日の起床モードである場合、対応する提示情報が起床アラームのオーディオ情報であり、該起床アラームのオーディオ情報はスマートデバイスに予め記憶されてもよい。
【００４９】
ここで、クラウドサーバーは、位置情報に基づいて取得しようとする該位置情報に対応する提示情報を確定できる。オプションとして、提示情報を取得する要請が、ユーザー識別又はスマートデバイスの識別をさらに含む場合、ユーザー識別又はスマートデバイスの識別に基づいて、予め記憶された該ユーザーに対応する路線情報を検索し、該路線情報に対応する道路交通情報を提示情報における一種類の内容として取得する。
【００５０】
オプションとして、スマートデバイスが家庭用音響設備である場合、クラウドサーバーは、提示情報を取得する要請に含まれるスマートデバイスの識別に基づいて、取得される提示情報をオーディオ類の情報として確定でき、内容は、音声出力での道路交通情報、音声出力での天気情報、音声出力でのニュース情報などであっても良い。
【００５１】
オプションとして、ユーザーは自身の実際のニーズに基づいて取得しようとする提示情報の種類を設定できる。提示情報を取得する要請に含まれるユーザーの識別又はスマートデバイスの識別によって、クラウドサーバーは、ユーザーにより設定される提示情報の種類を確定し、対応する提示情報を取得できる。
【００５２】
そのため、ステップ２０３は、
前記生活環境モードが就業日モードである場合、少なくとも天気情報、ニュース情報又は道路交通情報のうちの1種類または複数の種類を取得するステップ２０３１と、
前記生活環境モードが休暇日モードである場合、少なくとも天気情報、ショッピング情報、飲食情報、ニュース情報、道路交通情報、音楽及びビデオのうちの1種類または複数の種類を取得するステップ２０３２と、を通じて実現できる。
【００５３】
ステップ２０４において、前記提示情報を再生する。
【００５４】
スマートデバイスがスマートテレビである場合、テレビ番組又はその他のオーディオとビデオの内容を再生するとき、スマートテレビの画面上の所定領域に提示情報を表示できる。ここで、表示方法は提示情報における各情報の表示順により表示でき、各情報は一定の時間表示された後に画面から消え、次の情報が表示される。
【００５５】
スマートデバイスが家庭用音響設備である場合、取得可能な提示情報はオーディオ類の情報であり、オーディオに対してデコード及び再生を行う。
【００５６】
以下、１つの実施状況を例として、本開示の実施例における提示情報の再生を説明する。
【００５７】
現在の日付状態は就業日であり、時間が７：３０であって、設定時間は就業日であり、時間が７：３０である。このとき、スマートテレビはシステム時間に基づいて所定のイベントがトリガーされたことを検出し、現在の時間情報に基づいて現在の生活環境モードが就業日の起床モードであることを確定し、また、就業日の起床モードに対応する提示情報、即ち起床アラームのオーディオ情報を取得し、ユーザーを起床させるために、スマートテレビは該起床アラームのオーディオ情報を再生する。
【００５８】
本開示の実施例では、設定時間になったか否かを検出し又はインテリジェントウェアラブルデバイスとの通信接続が構築されたか否かを検出する方法により、現在の生活環境モードを取得し、且つ生活環境モードに対応する提示情報を取得して、最終的に提示情報を表示させる。生活環境モードに基づいて、対応する情報を自動的に取得し且つユーザーに表示することを実現するため、ユーザーが自分で情報を検索する必要がなく、ユーザーの情報を取得する効率を向上させる。
【００５９】
本開示の他の例示的な実施例では、スマートテレビ又は家庭用音響設備に用いられる情報提示の方法を提供し、図３が参照される。
【００６０】
本開示の実施例において、スマートデバイスが、インテリジェントウェアラブルデバイスから送信されるトリガー情報によって所定のイベントをトリガーすることにより、情報提示を行うことは、説明すべきである。
【００６１】
ステップ３０１において、接続されたインテリジェントウェアラブルデバイスから送信されるトリガー情報を受信したか否かを検出し、前記トリガー情報を受信した場合、前記所定のイベントがトリガーされたと確定する。
【００６２】
ここで、インテリジェントウェアラブルデバイスから送信されるトリガー情報は、睡眠データ、運動データ、飲食データ、医療健康などのデータを含み得るが、これらに限定されるものではない。
【００６３】
例えば、インテリジェントウェアラブルデバイスが睡眠データを検出し記録するとき、睡眠データに基づいてユーザーの睡眠状態を確定でき、そのうち、前記睡眠状態は、浅い睡眠状態、深い睡眠状態、覚醒状態を含み得る。
【００６４】
ステップ３０２において、前記所定のイベントがトリガーされる場合、接続されたインテリジェントウェアラブルデバイスから送信されるトリガー情報を取得し、トリガー情報と生活環境モードとの対応関係を検索して、ユーザーの現在の生活環境モードを取得する。
【００６５】
ここで、トリガー情報に基づいてユーザーの現在の健康状態を確定でき、対応する生活環境モードは、就業日モード、休暇日モード及び健康モードを含み得る。
【００６６】
ここで、トリガー情報と生活環境モードとの対応関係は、
覚醒状態、起床モードと、
運動状態、健康的な運動情報の推奨モードと、
飲食状態、健康的な食事情報の推奨モードと、を含み得るが、これらに限定されるものではない。
【００６７】
オプションとして、さらに、当日の日付状態に対応してより詳しく分けられたモードを確定できる。例えば、当日が就業日である場合、対応する道路交通情報などの内容を取得するために、起床モードを就業日の起床モードに細かく分けることができる。
【００６８】
ステップ３０３において、前記生活環境モードに対応する提示情報を取得する。
【００６９】
オプションとして、ユーザーが様々な位置で生活しているため、ユーザーの位置に基づいて位置に関連する提示情報を確定しなければならない。従って、スマートデバイスは現在の位置情報を予め取得しなければならない。
【００７０】
ここで、位置情報は、スマートデバイスにおける測位モジュールを通じて測位し取得でき、スマートデバイスはクラウドサーバーへ提示情報を取得する要請を送信し、該要請には位置情報及び生活環境モードに対応する識別が含まれる。オプションとして、提示情報を取得する要請はユーザーの識別又はスマートデバイスの識別をさらに含み得る。オプションとして、スマートデバイスの位置情報を取得する過程は、スマートデバイスを初期化する際に実行しても良い。位置情報をより正確に確定するために、スマートデバイスは本ステップを実行する際に位置情報を取得する操作を実行してもよい。
【００７１】
また、さらにスマートデバイスを通じてクラウドサーバーへ提示情報を取得する要請を送信してもよく、提示情報を取得する要請にはスマートデバイスのウェブアドレスが含まれてもよい。オプションとして、提示情報を取得する要請は、ユーザーの識別又はスマートデバイスの識別をさらに含み得る。クラウドサーバーは、まず該要請に含まれるウェブアドレスに基づいて大体の位置情報を検索し、さらに該大体の位置情報に基づいて提示情報を取得する。
【００７２】
ここで、本開示の実施例における提示情報の種類は、天気情報、ニュース情報、道路交通情報、ショッピング情報、飲食情報、健康情報、音楽及びビデオを含み得るが、これらに限定されるものではない。
【００７３】
それに応じて、本ステップにおける生活環境モードに対応する提示情報を取得する内容は、
前記生活環境モードが就業日モードである場合、少なくとも天気情報、ニュース情報又は道路交通情報のうちの1種類または複数の種類を取得することであり、
前記生活環境モードが休暇日モードである場合、少なくとも天気情報、ショッピング情報、飲食情報、ニュース情報、道路交通情報、音楽及びビデオのうちの1種類または複数の種類を取得することであっても良い。
【００７４】
取得方法は、スマートデバイスに各生活環境モードに対応する取得しようとする提示情報の種類を予め設定し、提示情報を取得する要請に提示情報の種類を含ませてもよい。また、クラウドサーバーに生活環境モードと提示情報の種類類との対応関係を予め記憶し、クラウドサーバーにおける提示情報を取得する要請に含まれる生活環境モードの識別に基づいて、取得しようとする提示情報の種類を確定し、さらに提示情報を取得する過程を行うことであってもよい。
【００７５】
ここで、クラウドサーバーは、位置情報に基づいて取得しようとする該位置情報に対応する提示情報を確定できる。オプションとして、提示情報を取得する要請にさらにユーザーの識別又はスマートデバイスの識別が含まれる場合、ユーザーの識別又はスマートデバイスの識別に基づいて予め記憶された該ユーザーに対応する路線情報を検索し、該路線情報に対応する道路交通情報を提示情報の内容として取得できる。
【００７６】
オプションとして、スマートデバイスが家庭用音響設備である場合、クラウドサーバーは、提示情報を取得する要請に含まれるスマートデバイスの識別に基づいて、取得される提示情報がオーディオ類の情報であると確定でき、内容は、音声出力での道路交通情報、音声出力での天気情報、音声出力でのニュース情報などであっても良い。
【００７７】
オプションとして、ユーザーは、自身の実際のニーズに応じて取得しようとする提示情報の種類を設定できる。クラウドサーバーは、提示情報を取得する要請に含まれるユーザーの識別又はスマートデバイスの識別により、ユーザーにより設定される提示情報の種類を確定し、対応する提示情報を取得できる。
【００７８】
それに応じて、ステップ３０３は、
前記生活環境モードが就業日モードである場合、少なくとも天気情報、ニュース情報又は道路交通情報のうちの1種類または複数の種類を取得するステップ３０３１と、
前記生活環境モードは休暇日モードである場合、少なくとも天気情報、ショッピング情報、飲食情報、ニュース情報、道路交通情報、音楽及びビデオのうちの1種類または複数の種類を取得するステップ３０３２と、
前記生活環境モードが健康モードである場合、ユーザーの過去健康データに基づいて、健康に関連する情報を検索するステップ３０３３と、によって実現できる。
【００７９】
ステップ３０４において、前記提示情報を再生する。
【００８０】
スマートデバイスがスマートテレビである場合、テレビ番組又はその他のオーディオとビデオの内容を再生するとき、スマートテレビの画面上の所定領域に提示情報を表示できる。そのうち、表示方法は、提示情報における各情報の表示順に応じて表示し、各情報を一定の時間表示させた後画面から消え、次の情報を表示させることができる。
【００８１】
スマートデバイスが家庭用音響設備である場合、取得可能な提示情報はオーディオ類の情報であり、オーディオに対してデコード及び再生を行う。
【００８２】
一つの実施状況を例として、本開示の実施例における提示情報の再生について説明する。
【００８３】
現在の日付状態が就業日であり、時間が７：３０である場合、インテリジェントウェアラブルデバイスは、検出されたユーザーの睡眠データに基づいて、ユーザーが睡眠状態から離脱したことを確定し、該睡眠データをトリガー情報としてスマートテレビへ送信する。このとき、スマートテレビは所定のイベントをトリガーし、トリガー情報に基づいて現在の生活環境モードを就業日の起床モードと確定し、さらに就業日の起床モードに対応するニュース情報、天気情報、道路交通情報などの内容を取得し、スマートテレビの画面上に提示する。
【００８４】
ユーザーが自宅で運動器具を利用して運動しているとき、インテリジェントウェアラブルデバイスは運動情報を検出し、運動情報をトリガー情報としてスマートテレビへ送信する。このとき、スマートテレビは所定のイベントをトリガーし、トリガー情報に基づいて現在の生活環境モードを健康的な運動情報の推奨モードと確定し、さらにユーザーの過去運動情報及び現在の運動情報に基づいて、健康的な運動情報の推奨モードに対応する運動項目又は運動情報などの内容を取得し、スマートテレビの画面上に提示する。
【００８５】
本開示の実施例では、インテリジェントウェアラブルデバイスによりトリガー情報を送信する方法によって、現在の生活環境モードを取得し、生活環境モードに対応する提示情報を取得し、最終的に提示情報を表示させる。生活環境モードに基づいて対応する情報を自動的に取得し且つユーザーに表示させことを実現するため、ユーザーが自分で情報を検索する必要がなく、ユーザーの情報を取得する効率を向上させる。
【００８６】
本開示の他の例示的な実施例では、スマートテレビ又は家庭用音響設備に用いられる情報提示の方法を提供し、図４が参照される。
【００８７】
本開示の実施例において、スマートデバイスが、その他のインテリジェントウェアラブルデバイスとの接続関係を検出することによりスマートデバイスの状態を確定することは、説明すべきである。ここで、スマートデバイスは、スマートテレビ、タブレット型パソコンなどの装置を含み得るが、これらに限定されるものではない。インテリジェントウェアラブルデバイスは、スマートウォッチ、スマートリストバンドなどの装置を含み得るが、これらに限定されるものではない。
【００８８】
ステップ４０１において、スマートデバイスは、インテリジェントウェアラブルデバイスとの接続状態を検出する。
【００８９】
ステップ４０２において、前記インテリジェントウェアラブルデバイスとの接続状態が接続構築状態である場合、自身の状態がスタンバイ状態であれば、スタンバイ状態を動作状態に変換させる。
【００９０】
スマートブレスレットを例として説明する場合、ユーザーが帰宅したとき、ススマートブレスレットは自宅ネットワーク装置との接続を構築し、それに応じて自宅のスマートテレビなどのスマートデバイスとの接続を構築できる。スマートブレスレットが自宅ネットワークに接続された後、ネットワークにおけるスマートテレビに接続を構築する要請を送信でき、それに応じて接続を構築する過程を経た後に、スマートテレビとスマートブレスレットとの接続状態は接続構築状態となる。
【００９１】
ステップ４０３において、前記インテリジェントウェアラブルデバイスとの接続状態が未接続状態である場合、自身の状態が動作状態であれば、動作状態をスタンバイ状態に変換させるか電源を切る。
【００９２】
スマートブレスレットを例として説明する場合、ユーザーが自宅から外出するとき、スマートブレスレットは自宅ネットワーク装置との接続を切断し、それに応じて自宅のスマートテレビなどのスマートデバイスとの接続も切断される。心拍数に関する情報を検出する方法により、スマートテレビとスマートブレスレットとの接続状態が未接続状態であることを確定できる。
【００９３】
本開示の実施例では、インテリジェントウェアラブルデバイスとの接続状態を検出する方法により、スマートデバイスの状態を制御し、スマートデバイスの制御効率を向上させる。
【００９４】
上記の例示的な実施例により提供される情報提示の方法に対応して、本開示の他の例示的な実施例ではスマートテレビ又は家庭用音響設備に用いられる情報提示の装置を提供し、図５が参照される。
【００９５】
該装置は、
所定のイベントがトリガーされたか否かを確定する確定モジュール５０１と、
所定のイベントがトリガーされた場合、ユーザーの現在の生活環境モードを取得する第１取得モジュール５０２と、
生活環境モードに対応する提示情報を取得する第２取得モジュール５０３と、
提示情報を再生する再生モジュール５０４と、を含む。
【００９６】
図６に示すように、確定モジュール５０１は、
システム時間が設定時間になったか否かを検出し、システム時間が設定時間になった場合、所定のイベントがトリガーされたと確定する第１確定ユニット５０１１と、
インテリジェントウェアラブルデバイスとの通信接続が構築されたか否かを検出し、インテリジェントウェアラブルデバイスとの通信接続が構築された場合、所定のイベントがトリガーされたと確定する第２確定ユニット５０１２と、
接続されたインテリジェントウェアラブルデバイスから送信されるトリガー情報を受信したか否かを検出し、トリガー情報を受信した場合、前記所定のイベントがトリガーされたと確定する第３確定ユニット５０１３と、を含む。
【００９７】
図７に示すように、第１取得モジュール５０２は、
現在の時間情報を取得し、時間情報と生活環境モードとの対応関係を検索して、ユーザーの現在の生活環境モードを取得する第１取得ユニット５０２１と、
接続されたインテリジェントウェアラブルデバイスから送信されるトリガー情報を取得し、トリガー情報と生活環境モードとの対応関係を検索して、ユーザーの現在の生活環境モードを取得する第２取得ユニット５０２２と、を含む。
【００９８】
生活環境モードはユーザーにより定義されたものであり、就業日モード、休暇日モード及び健康モードを含む。
【００９９】
図８に示すように、第２取得モジュール５０３は、
生活環境モードが就業日モードである場合、少なくとも天気情報、ニュース情報又は道路交通情報のうちの1種類または複数の種類を取得する第３取得ユニット５０３１と、
生活環境モードが休暇日モードである場合、少なくとも天気情報、ショッピング情報、飲食情報、ニュース情報、道路交通情報、音楽及びビデオのうちの1種類または複数の種類を取得する第４取得ユニット５０３２と、
生活環境モードが健康モードである場合、ユーザーの過去健康データに基づいて、健康に関連する情報を検索する第５取得ユニット５０３３と、を含む。
【０１００】
前記装置は、さらに、
インテリジェントウェアラブルデバイスとの接続状態が接続構築状態である場合、自身の状態がスタンバイ状態であれば、スタンバイ状態を動作状態に変換させる第１変換モジュール５０５と、
インテリジェントウェアラブルデバイスとの接続状態が未接続状態である場合、自身の状態が動作状態であれば、動作状態をスタンバイ状態に変換させるか電源を切る第２変換モジュール５０６と、を含む。
【０１０１】
本開示の実施例では、現在の生活環境モードを取得することにより、生活環境モードに対応する提示情報を取得し、最終的に提示情報を表示させる。生活環境モードに基づいて対応する情報を自動的に取得し且つユーザーに表示させることを実現するため、ユーザーが自分で情報を検索する必要がなく、ユーザーの情報を取得する効率を向上させる。
【０１０２】
上記の例示的な実施例により提供される情報提示の装置に対応して、本開示の他の例示的な実施例では情報提示の装置を提供し、図９が参照される。例えば、装置９００は、携帯電話、コンピューター、デジタル放送端末、メッセージ送受信装置、ゲームコンソール、タブレット型デバイス、医療機器、運動器具、携帯情報端末などであっても良い。オプションとして、装置９００はスマートテレビなどであっても良い。
【０１０３】
図９に示すように、装置９００は、処理部材９０２、メモリ９０４、電源部材９０６、マルチメディア部材９０８、音声部材９１０、入力／出力（Ｉ／Ｏ）のインタフェース９１２、センサー部材９１４、及び通信部材９１６のうちの一つ又は複数の部材を含み得る。
【０１０４】
処理部材９０２は、一般的に装置９００の全体的操作、例えば、表示、電話呼び出し、データー通信、カメラ操作及び記録操作に関する操作を制御する。処理部材９０２は、上記の方法の全部又は一部のステップを完成するために、コマンドを実行する一つ又は複数のプロセッサ９２０を含むことができる。さらに、処理部材９０２は、その他のモジュールとのインタラクションを実行し易くするために、一つ又は複数のモジュールを含むことができる。例えば、処理部材９０２は、マルチメディア部材９０８と処理部材９０２とのインタラクションを実行し易くするために、マルチメディアモジュールを含むことができる。
【０１０５】
メモリ９０４は、装置９００における操作をサポートするために、様々な種類のデータを記憶するように構成される。これらのデータの例示は、装置９００で操作される如何なるアプリケーション又は方法のコマンド、連絡先データ、電話帳データ、メッセージ、写真、ビデオなどを含む。メモリ９０４は、如何なる種類の揮発性又は不揮発性メモリ又はそれらの組合せ、例えば、スタティックランダムアクセスメモリ（ＳＲＡＭ）、電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現できる。
【０１０６】
電源部材９０６は、装置９００の様々な部材へ電力を供給する。電源部材９０６は、電源管理システム、一つ又は複数の電源、及びその他の装置９００への電力を生成、管理及び供給する部材を含み得る。
【０１０７】
マルチメディア部材９０８は、前記装置９００とユーザーの間の一つの出力インタフェースを提供するスクリーンを含む。一部の実施例において、スクリーンは、液晶ディスプレイ（ＬＣＤ）とタッチパネル（ＴＰ）を含むことができる。スクリーンは、スクリーンにタッチパネルが含まれる場合、ユーザーからの入力信号を受信するために、タッチスクリーンとされて実現できる。タッチパネルは、タッチ、スワイプ及びタッチパネルにおけるジェスチャーを感知するための一つ又は複数のタッチセンサを含む。前記タッチセンサは、タッチ又はスワイプ動作の境界を感知するとともに、前記タッチ又はスワイプ動作に係る持続時間及び圧力を検出できる。幾つかの実施例において、マルチメディア部材９０８は、フロントカメラ及び／又はバックカメラを含む。装置９００が操作モードである場合、例えば、撮影モード又はビデオモードである場合、フロントカメラ及び／又はバックカメラは、外部のマルチメディアデータを受信できる。各フロントカメラ及びバックカメラは、固定された光学レンズシステムであってもよく、又は焦点距離と光学ズーム能力を有しても良い。
【０１０８】
音声部材９１０は、音声信号を出力及び／又は入力するように構成される。例えば、音声部材９１０は、マイクロホン（ＭＩＣ）を含み、装置９００が操作モードである場合、例えば、呼び出しモード、記録モード及び音声識別モードであると、マイクロホンは外部の音声信号を受信するように構成される。受信される音声信号は、さらにメモリ９０４に記憶され、又は通信部材９１６を介して送信される。幾つかの実施例において、音声部材９１０は、さらに音声信号を出力するスピーカーを含み得る。
【０１０９】
Ｉ／Ｏインタフェース９１２は、処理部材９０２と周辺インターフェースモジュールとの間にインタフェースを提供し、上記の周辺インターフェースモジュールは、キーボード、クリックホイール、ボタンなどであってもよい。これらのボタンは、ホームボタン、ボリュームボタン、スタートボタン及びロックボタンを含み得るが、これらに限定されるものではない。
【０１１０】
センサー部材９１４は、装置９００のために各方面の状態評価を提供する一つ又は複数のセンサを含む。例えば、センサー部材９１４は、装置９００のオン／オフ状態、部材の相対的位置決めを検出でき、例えば、部材は装置９００のディスプレイ及びキーパッドであり、センサー部材９１４は、さらに装置９００又は装置９００の一つの部材の位置変化、ユーザーと装置９００との接触の有無、装置９００の位置又は加速／減速及び装置９００の温度変化を検出できる。センサー部材９１４は、近接センサを含むことができ、如何なる物理的接触がないとき、近傍物体の存在を検出するように構成される。センサー部材９１４は、例えば、ＣＭＯＳ又はＣＣＤイメージセンサのような、イメージングアプリケーションに用いられる光学センサをさらに含み得る。幾つかの実施例において、該センサー部材９１４は、さらに加速度センサ、ジャイロセンサ、磁気センサ、圧力センサ又は温度センサを含むことができる。
【０１１１】
通信部材９１６は、装置９００とその他の装置との有線又は無線の通信を行い易くするように構成される。装置９００は、例えば、Ｗｉ−Ｆｉ、２Ｇ又は３Ｇ、又はそれらの組み合わせのような、通信標準に基づく無線ネットワークにアクセスできる。例示的な一実施例において、通信部材９１６は、放送チャネルを介して外部放送管理システムからの放送信号又は放送関連情報を受信する。例示的な一実施例において、通信部材９１６は、狭域通信を促進するために、さらに近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術に基づいて実現できる。
【０１１２】
例示的な実施例において、装置９００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現でき、上記の方法を実行するのに用いられる。
【０１１３】
例示的な実施例において、さらに、コマンドを含む非一時的コンピュータ可読記憶媒体、例えば、コマンドを含むメモリ９０４を提供し、上記の方法を完成するために、上記コマンドは装置９００のプロセッサ９２０により実行できる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピーディスク（登録商標）及び光データメモリなどであってもよい。
【０１１４】
本開示の実施例は現在の生活環境モードを取得することにより、生活環境モードに対応する提示情報を取得し、最終的に提示情報を表示させる。生活環境モードに基づいて対応する情報を自動的に取得し且つユーザーに表示させることを実現するため、ユーザーが自分で情報を検索する必要がなく、ユーザーの情報を取得する効率を向上させる。
【０１１５】
当業者であれば、明細書を参照し、本願で開示される発明を実践することにより、本開示のその他の実施態様を容易に想到し得る。本願は、如何なる変形、用途又は適応的変化を含むことを旨とするものであり、これらの変形、用途又は適応的変化は本開示の一般的な原理に準じ、本願で開示されていない当該技術分野における一般的な知識又は慣用の技術手段を含む。明細書と実施例は例示的なものに過ぎず、本開示の実際の範囲と精神は特許請求の範囲により与えられる。
【０１１６】
本開示は、上記のように説明され、図面に示された構造に限定されず、その範囲を逸脱しない限り様々な修正や変更を行うことができることは理解すべきである。本開示の範囲は添付の特許請求の範囲のみにより限定される。
【図１】
0006391813.tif 000002
【図２】
0006391813.tif 000003
【図３】
0006391813.tif 000004
【図４】
0006391813.tif 000005
【図５】
0006391813.tif 000006
【図６】
0006391813.tif 000007
【図７】
0006391813.tif 000008
【図８】
0006391813.tif 000009
【図９】
0006391813.tif 000010